(57)【要約】【課題】特殊クロストークを抑制することが可能な駆動装置、電気光学装置及び電子機器等を提供すること。【解決手段】駆動装置は、各ソースアンプ部ＡＭｊがＭ本のソース線を時分割に駆動する複数のソースアンプ部ＡＭ１〜ＡＭ１７１と、第１〜第Ｋの階調電圧群を出力する第１〜第Ｋの階調電圧生成回路１１〜１３と、複数のソースアンプ部ＡＭ１〜ＡＭ１７１が第１〜第Ｋのグループにグループ分けされる場合に、第ｉのグループに属するソースアンプ部に対して、第ｉの階調電圧群から選択された階調電圧を出力するＤ／Ａ変換回路２０と、を含む。第ｉのグループに属するソースアンプ部のうち第１のソースアンプ部は、第１の順番でＭ本のソース線を時分割に駆動する。第ｉのグループに属するソースアンプ部のうち第２のソースアンプ部は、第１の順番とは異なる第２の順番でＭ本のソース線を時分割に駆動する。【選択図】      図６
2015114399.tif 000002
【特許請求の範囲】
【請求項１】
各ソースアンプ部がＭ本のソース線（Ｍは２以上の自然数）を時分割に駆動する複数のソースアンプ部と、
第１〜第Ｋの階調電圧群を出力する第１〜第Ｋの階調電圧生成回路（Ｋは２以上の自然数）と、
前記複数のソースアンプ部が第１〜第Ｋのグループにグループ分けされる場合に、前記第１〜第Ｋのグループのうちの第ｉのグループ（ｉはＫ以下の自然数）に属するソースアンプ部に対して、前記第１〜第Ｋの階調電圧群のうちの第ｉの階調電圧群から選択された階調電圧を出力するＤ／Ａ変換回路と、
を含み、
前記第ｉのグループに属するソースアンプ部のうち第１のソースアンプ部は、第１の順番で前記Ｍ本のソース線を時分割に駆動し、
前記第ｉのグループに属するソースアンプ部のうち第２のソースアンプ部は、前記第１の順番とは異なる第２の順番で前記Ｍ本のソース線を時分割に駆動することを特徴とする駆動装置。
【請求項２】
請求項１において、
前記第ｉのグループに属するソースアンプ部のうち第３のソースアンプ部は、前記第１の順番及び前記第２の順番とは異なる第３の順番で前記Ｍ本のソース線を時分割に駆動し、
前記第ｉのグループに属するソースアンプ部のうち第４のソースアンプ部は、前記第１〜第３の順番とは異なる第４の順番で前記Ｍ本のソース線を時分割に駆動することを特徴とする駆動装置。
【請求項３】
請求項２において、
前記第１〜第４のソースアンプ部で構成されるブロックが、複数配置されることを特徴とする駆動装置。
【請求項４】
請求項１乃至３のいずれかにおいて、
前記各ソースアンプ部は、バッファーアンプを有し、
前記バッファーアンプは、前記時分割の切り替えタイミングを含む切り替え期間において非動作状態に設定されることを特徴とする駆動装置。
【請求項５】
請求項４において、
前記バッファーアンプは、前記切り替え期間において、差動部のバイアス電流がオフに設定されると共に出力がハイインピーダンスに設定されることを特徴とする駆動装置。
【請求項６】
請求項１乃至５のいずれかにおいて、
前記複数のソースアンプ部の前記各ソースアンプ部は、自発光素子を駆動することを特徴とする駆動装置。
【請求項７】
請求項１乃至６のいずれかにおいて、
前記第１〜第Ｋの階調電圧生成回路は、同一階調特性の前記第１〜第Ｋの階調電圧群を出力することを特徴とする駆動装置。
【請求項８】
請求項１乃至７のいずれかにおいて、
前記Ｋは、２又は４以上であることを特徴とする駆動装置。
【請求項９】
請求項１乃至８のいずれかに記載の駆動装置を含むことを特徴とする電気光学装置。
【請求項１０】
請求項１乃至８のいずれかに記載の駆動装置を含むことを特徴とする電子機器。
【発明の詳細な説明】
【技術分野】
【０００１】
本発明は、駆動装置、電気光学装置及び電子機器等に関する。
【背景技術】
【０００２】
有機ＥＬ等の自発光素子により画素を構成した表示装置が知られている。この表示装置の適用例として、例えばヘッドマウントディスプレイや、電子ビューファインダー等の直視型のパネルが考えられる。このような適用例では小型化と高精細化の両立が必要であることから、同一のシリコン基板上に、極小ピッチの画素とドライバーとを効率よく配置する必要がある。画素ピッチとソースドライバーのピッチとの兼ね合いから、複数のソース線に対して１つのソースドライバーを配置し、その複数のソース線を時分割でソースドライバーが駆動（マルチプレクス駆動。例えば特許文献１）する。
【先行技術文献】
【特許文献】
【０００３】
【特許文献１】特開２００８−１０７６５５号公報
【発明の概要】
【発明が解決しようとする課題】
【０００４】
上記のようなソースドライバーでは、階調電圧生成回路が階調電圧群を出力し、その階調電圧群の中からＤ／Ａ変換回路が１つの階調電圧を選択し、その選択された階調電圧をソースアンプ部がソース線に出力する。このとき、多くのソースアンプ部が同じ階調電圧を選択した状態から、マルチプレクス駆動の同一の順番で他の階調電圧に切り替わったとする。そうすると、同じ階調線に多くのソースアンプ部が接続された状態から急に切り替えが起きるため、階調電圧にノイズが生じる。そのノイズが生じた階調電圧を、他のソースアンプ部が出力している場合、ノイズによって駆動電圧に誤差（特殊クロストーク）が生じて表示ムラを発生させるという課題がある。
【０００５】
本発明の幾つかの態様によれば、特殊クロストークを抑制することが可能な駆動装置、電気光学装置及び電子機器等を提供できる。
【課題を解決するための手段】
【０００６】
本発明の一態様は、各ソースアンプ部がＭ本のソース線（Ｍは２以上の自然数）を時分割に駆動する複数のソースアンプ部と、第１〜第Ｋの階調電圧群を出力する第１〜第Ｋの階調電圧生成回路（Ｋは２以上の自然数）と、前記複数のソースアンプ部が第１〜第Ｋのグループにグループ分けされる場合に、前記第１〜第Ｋのグループのうちの第ｉのグループ（ｉはＫ以下の自然数）に属するソースアンプ部に対して、前記第１〜第Ｋの階調電圧群のうちの第ｉの階調電圧群から選択された階調電圧を出力するＤ／Ａ変換回路と、を含み、前記第ｉのグループに属するソースアンプ部のうち第１のソースアンプ部は、第１の順番で前記Ｍ本のソース線を時分割に駆動し、前記第ｉのグループに属するソースアンプ部のうち第２のソースアンプ部は、前記第１の順番とは異なる第２の順番で前記Ｍ本のソース線を時分割に駆動する駆動装置に関係する。
【０００７】
本発明の一態様によれば、第１〜第Ｋの階調電圧群が出力され、第１〜第Ｋのグループのうち第ｉのグループのソースアンプ部には、第ｉの階調電圧群から選択された階調電圧が供給される。また、その第ｉのグループの第１のソースアンプと第２のソースアンプは、それぞれ第１の順番と第２の順番で時分割駆動を行う。これにより、階調電圧が切り替わったときに生じる階調電圧のノイズを抑制することが可能となり、特殊クロストークを抑制することが可能となる。
【０００８】
また本発明の一態様では、前記第ｉのグループに属するソースアンプ部のうち第３のソースアンプ部は、前記第１の順番及び前記第２の順番とは異なる第３の順番で前記Ｍ本のソース線を時分割に駆動し、前記第ｉのグループに属するソースアンプ部のうち第４のソースアンプ部は、前記第１〜第３の順番とは異なる第４の順番で前記Ｍ本のソース線を時分割に駆動してもよい。
【０００９】
このようにすれば、同じ第ｉの階調電圧群から選択された階調電圧が供給される第ｉのグループにおいて、更に駆動順番の種類を増やすことができる。これにより、階調電圧が同時に切り替わるソースアンプ部の数が更に減り、階調電圧が切り替わったときに生じる階調電圧のノイズを更に抑制できる。
【００１０】
また本発明の一態様では、前記第１〜第４のソースアンプ部で構成されるブロックが、複数配置されてもよい。
【００１１】
このようにすれば、駆動順番が異なる第１〜第４のソースアンプ部で構成されるブロックが複数配置されることで、複数のソースアンプ部が構成される。これにより、複数のソースアンプ部の各ソースアンプ部が第１〜第４の駆動順番のいずれかの順番で時分割駆動を行うこととなり、それによって階調電圧が切り替わるタイミングが分散され、特殊クロストークを抑制できる。
【００１２】
また本発明の一態様では、前記各ソースアンプ部は、バッファーアンプを有し、前記バッファーアンプは、前記時分割の切り替えタイミングを含む切り替え期間において非動作状態に設定されてもよい。
【００１３】
時分割の切り替えタイミングにおいて階調電圧が切り替わるため、そのタイミングにおいて階調電圧にノイズが発生するが、本発明の一態様によれば、そのタイミングにおいてソースアンプ部が非動作状態に設定されることで、階調電圧のノイズがソース線に伝搬されないようにできる。これにより、ソース線の駆動期間が終了するまでにソース電圧を収束させることが可能となり、特殊クロストークを抑制できる。
【００１４】
また本発明の一態様では、前記バッファーアンプは、前記切り替え期間において、差動部のバイアス電流がオフに設定されると共に出力がハイインピーダンスに設定されてもよい。
【００１５】
このようにすれば、差動部のバイアス電流をオフに設定すると共に出力をハイインピーダンスに設定することで、ソースアンプ部を非動作状態に設定することができる。
【００１６】
また本発明の一態様では、前記複数のソースアンプ部の前記各ソースアンプ部は、自発光素子を駆動してもよい。
【００１７】
自発光素子を用いた表示パネルとして、例えば画素アレイと上記の駆動装置（ソースドライバー）を同一チップ上に集積したものが考えられる。このような表示パネルでは、駆動装置の配置領域が限られるので時分割駆動のマルチ数が大きくなる。マルチ数が大きいと１本のソース線を駆動する期間が短くなり、特殊クロストークが起きやすい状況となるが、本発明の一態様によれば、そのような場合でも特殊クロストークを抑制できる。
【００１８】
また本発明の一態様では、前記第１〜第Ｋの階調電圧生成回路は、同一階調特性の前記第１〜第Ｋの階調電圧群を出力してもよい。
【００１９】
Ｋは任意であるため、ソース線のＲＧＢと第１〜第Ｋの階調電圧生成回路の間には一般には対応がなくてもよい。そのため、各色の階調特性とは関係なく、同一階調特性の第１〜第Ｋの階調電圧群を出力してもよい。
【００２０】
また本発明の一態様では、前記Ｋは、２又は４以上であってもよい。
【００２１】
ソース線のＲＧＢと第１〜第Ｋの階調電圧生成回路の間には一般には対応がなくてもよいので、階調電圧生成回路を２個又は４個以上設けてもよい。
【００２２】
また本発明の他の態様は、上記のいずれかに記載の駆動装置を含む電気光学装置に関係する。
【００２３】
また本発明の更に他の態様は、上記のいずれかに記載の駆動装置を含む電子機器に関係する。
【図面の簡単な説明】
【００２４】
【図１】本実施形態のソースドライバーの比較例。
【図２】比較例の階調電圧生成回路とＤ／Ａ変換回路の構成例。
【図３】比較例のデマルチプレクサーの構成例。
【図４】特殊クロストークの説明図。
【図５】図５（Ａ）、図５（Ｂ）は、中間階調の階調電圧の波形例。
【図６】本実施形態のソースドライバーの構成例。
【図７】第１〜第３の階調電圧生成回路とＤ／Ａ変換回路の詳細な構成例。
【図８】デマルチプレクサーの動作説明図。
【図９】第１〜第４の駆動順番の説明図。
【図１０】デマルチプレクサーの詳細な構成例。
【図１１】第１〜第４の駆動順番を用いた場合に、階調線が同時に切り替わるソースアンプ部の数についての説明図。
【図１２】ソースアンプ部の詳細な構成例。
【図１３】ソースアンプ部の動作のタイミングチャート。
【図１４】ソースアンプ部の動作のシミュレーション結果。
【図１５】バッファーアンプの詳細な構成例。
【図１６】高精度アンプの詳細な構成例。
【図１７】電気光学装置の構成例。
【図１８】電子機器の構成例。
【発明を実施するための形態】
【００２５】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２６】
１．比較例
本実施形態のソースドライバーは、例えば図１７に示す電気光学装置１００に適用される。この電気光学装置１００は、有機ＥＬ等の自発光素子で構成された画素アレイ１１０を用いている。画素アレイ１１０と画素アレイ１１０を駆動するソースドライバー１３０は、図１７のような配置で同一の基板上に形成されるため、ソースドライバー１３０の配置領域の横幅には制限があり、ソース線と同数のソースアンプ部を配置することはできない。例えば、ＲＧＢの３画素が７．５ｕｍのピッチで配置され、ソースアンプ部の横幅が４５ｕｍである場合、４５ｕｍ／７．５ｕｍ＝１８本のソース線に対して１つのソースアンプ部が配置されることになる。そのため、ソースアンプ部は１８本のソース線を時分割で駆動するマルチプレクス駆動を行う。
【００２７】
図１に、上記のようなマルチプレクス駆動を行う本実施形態のソースドライバーの比較例を示す。比較例のソースドライバーは、階調電圧群ＴＡ１〜ＴＡ２５６を出力する階調電圧生成回路４０と、画像データＤ１〜Ｄ１７１に対応する電圧を階調電圧群ＴＡ１〜ＴＡ２５６から選択するＤ／Ａ変換回路５０と、選択された電圧Ｖ１〜Ｖ１７１をバッファリングするソースアンプ部ＡＭ１〜ＡＭ１７１と、バッファリングされた電圧Ｑ１〜Ｑ１７１をセレクト信号ＳＥＬ１〜ＳＥＬ１８に基づいて時分割にソース線Ｓ１〜Ｓ３０７８に分配するデマルチプレクサー６０と、を含む。
【００２８】
図２に、階調電圧生成回路４０とＤ／Ａ変換回路５０の構成例を示す。階調電圧生成回路４０は、高電位側電圧ＶＨと低電位側電圧ＶＬの間を分割する抵抗素子ＲＡ１〜ＲＡ２５７及び抵抗素子ＲＢ１〜ＲＢ２５７を含む。抵抗素子ＲＡ１〜ＲＡ２５７の間ノードと抵抗素子ＲＢ１〜ＲＢ２５７の間のノードは、共通の階調線ＮＡ１〜ＮＡ２５６に接続される。その階調線ＮＡ１〜ＮＡ２５６には、分割された電圧ＴＡ１〜ＴＡ２５６が階調電圧群として出力される。
【００２９】
Ｄ／Ａ変換回路５０は、ソースアンプ部ＡＭｊ（ｊは１７１以下の自然数）と階調線ＮＡ１〜ＮＡ２５６との間に接続されるスイッチ素子Ｓｊ−１〜Ｓｊ−２５６を有する。このスイッチ素子Ｓｊ−１〜Ｓｊ−２５６は、画像データＤｊに基づいてオン・オフ制御される。例えば、画像データＤｊが２５６階調のうちの１２８階調である場合には、スイッチ素子Ｓｊ−１２８がオンになり、階調電圧ＴＡ１２８が電圧Ｖｊとしてソースアンプ部ＡＭｊの入力ノードに供給される。
【００３０】
図３に、デマルチプレクサー６０の構成例を示す。なお、ソースアンプ部ＡＭ１〜ＡＭ３に接続される部分を例に説明するが、ソースアンプ部ＡＭ４〜ＡＭ１７１に接続される部分についても同様に構成できる。
【００３１】
デマルチプレクサー６０は、ソースアンプ部ＡＭ１〜ＡＭ３に対応するスイッチ素子ＳＷ１〜ＳＷ５４を含む。スイッチ素子ＳＷ１〜ＳＷ５４の一端はソース線Ｓ１〜Ｓ５４に接続され、他端は順にソースアンプ部ＡＭ１〜ＡＭ３に接続される。即ち、ソースアンプ部ＡＭ１の出力ノードにはスイッチ素子ＳＷ１、ＳＷ４、ＳＷ７、・・・、ＳＷ５２の他端が接続され、ソースアンプ部ＡＭ２の出力ノードにはスイッチ素子ＳＷ２、ＳＷ５、ＳＷ８、・・・、ＳＷ５３の他端が接続され、ソースアンプ部ＡＭ３の出力ノードにはスイッチ素子ＳＷ３、ＳＷ６、ＳＷ９、・・・、ＳＷ５４の他端が接続される。
【００３２】
ソース線Ｓ１〜Ｓ３は、それぞれＲＧＢに対応している。以下では、このＲＧＢのソース線Ｓ１〜Ｓ３をまとめてラインＬ１と呼ぶ。同様に、ソース線Ｓ４〜Ｓ５４をＲＧＢの単位に分けて、ラインＬ２〜Ｌ１８と呼ぶ。ラインＬ１〜Ｌ１８に接続されるスイッチ素子は、それぞれセレクト信号ＳＥＬ１〜ＳＥＬ１８によりオン・オフ制御される。まずセレクト信号ＳＥＬ１がアクティブとなり、スイッチ素子ＳＷ１〜ＳＷ３がオンとなり、ＲＧＢに対応した電圧Ｑ１〜Ｑ３でラインＬ１を駆動する。以降は、セレクト信号ＳＥＬ２〜ＳＥＬ１８が順次アクティブになり、ラインＬ２〜Ｌ１８を電圧Ｑ１〜Ｑ３で順次駆動する。
【００３３】
この時分割駆動（デマルチプレクス駆動）に対応して、データＤ１〜Ｄ３は、ラインＬ１〜Ｌ１８に対応する階調データを順に並べた（マルチプレクスされた）ものとなっている。そして、そのデータＤ１〜Ｄ３をＤ／Ａ変換することによって、ラインＬ１〜Ｌ１８のソース電圧を順に並べた電圧Ｑ１〜Ｑ３が生成される。
【００３４】
さて、３つのソースアンプ部を１ユニットと呼ぶことにすると、上記の比較例にはユニット１〜ユニット５７のソースアンプ部があり、各ユニットがラインＬ１〜Ｌ１８を同じ順番で時分割駆動している。このとき、図４に示すように、多くのソースアンプ部が同時に大きく階調を変化させる場合を考える。例えばユニット５〜５７では、ラインＬ１〜Ｌ１７において１２８階調（グレー、中間階調）を表示し、ラインＬ１８において１階調（黒、低階調）を表示する。残りのユニット１〜４では、全てのラインＬ１〜Ｌ１８において１２８階調を表示する。
【００３５】
この例では、ラインＬ１〜Ｌ１７において全てのソースアンプ部ＡＭ１〜ＡＭ１７１の入力ノードが階調線ＮＡ１２８に接続されている。そして、ラインＬ１８においてユニット５〜５７のソースアンプ部ＡＭ１３〜ＡＭ１７１の入力ノードが階調線ＮＡ１に切り替わる。そして、再びラインＬ１に戻ったときには、ユニット５〜５７のソースアンプ部ＡＭ１３〜ＡＭ１７１の入力ノードが階調線ＮＡ１２８に切り替わる。
【００３６】
入力ノードには例えばゲート容量等の寄生容量があるため、階調電圧がＴＡ１２８とＴＡ１との間で切り替わったときに電荷の移動が起き、それによって階調電圧ＴＡ１２８にノイズが生じる。ラインＬ１８においてユニット１〜４のソースアンプ部ＡＭ１〜ＡＭ１２は階調線ＮＡ１２８に接続されたままなので、階調電圧ＴＡ１２８のノイズがソース電圧に伝搬し、表示ムラ（縦線、アーティファクト）を生じさせる。このような階調線を介したクロストークを特殊クロストークと呼び、表示の品質を低下させる原因となる。
【００３７】
図５（Ａ）、図５（Ｂ）に、階調電圧ＴＡ１２８を測定した波形例を示す。信号ＳＳは時分割駆動のタイミングを示しており、Ｈレベルの期間において左から順にセレクト信号ＳＥＬ１、ＳＥＬ２、・・・、ＳＥＬ１８がアクティブになり、ラインＬ１、Ｌ２、・・・、Ｌ１８が駆動される。
【００３８】
図５（Ａ）の例では、９ライン毎のラインＬ６、Ｌ１５で黒を表示している。マルチ数は１８なので、全てのソースアンプ部は同じラインＬ６、Ｌ１５で黒を表示する。そのため、階調線の切り替えが同時に起こり、階調電圧ＴＡ１２８にスパイク状のノイズが発生している。
【００３９】
図５（Ｂ）の例では、８ライン毎に黒を表示している。この場合、例えばユニット１のソースアンプ部はラインＬ１、Ｌ９、Ｌ１７で黒を表示し、ユニット２のソースアンプ部はＬ７、Ｌ１５で黒を表示する。階調線の切り替えタイミングが各ユニットで異なるので、同一タイミングで切り替わるソースアンプ部の数が少なくなり、図５（Ａ）に比べて階調電圧ＴＡ１２８のノイズは小さい。
【００４０】
このように、多数のソースアンプ部で同時に階調線を切り替えるような画像パターンを表示した場合に、階調電圧にノイズが生じ、特殊クロストークが発生することが分かる。
【００４１】
２．ソースドライバー
図６に、上記のような特殊クロストークを軽減する本実施形態のソースドライバー（駆動装置）の構成例を示す。図６のソースドライバーは、複数のソースアンプ部ＡＭ１〜ＡＭＮ（Ｎは２以上の自然数）と、第１〜第Ｋの階調電圧生成回路と、Ｄ／Ａ変換回路２０と、デマルチプレクサー３０と、を含む。
【００４２】
なお以下では、Ｎ＝１７１、Ｋ＝３の場合を例に説明するが、本実施形態はこれに限定されない。また、各ソースアンプ部ＡＭｊが１８本のソース線を時分割駆動し、ソース線の本数が１７１×１８＝３０７８本である場合を例に説明するが、各ソースアンプ部ＡＭｊがＭ本（Ｍは２以上の自然数）のソース線を時分割駆動し、ソース線の本数がＮ×Ｍ本であってもよい。また、階調数が２５６である場合を例に説明するが、階調数はＸ（Ｘは２以上の自然数）であってもよい。
【００４３】
第１の階調電圧生成回路１１は第１の階調電圧群ＴＡ１〜ＴＡ２５６を出力し、第２の階調電圧生成回路１２は第２の階調電圧群ＴＢ１〜ＴＢ２５６を出力し、第３の階調電圧生成回路１３は第３の階調電圧群ＴＣ１〜ＴＣ２５６を出力する。Ｄ／Ａ変換回路２０は、第１〜第３の階調電圧群を用いて画像データＤ１〜Ｄ１７１をＤ／Ａ変換し、電圧Ｖ１〜Ｖ１７１を出力する。ソースアンプ部ＡＭ１〜ＡＭ１７１は、電圧Ｖ１〜Ｖ１７１をバッファリングして電圧Ｑ１〜Ｑ１７１を出力する。デマルチプレクサー３０は、セレクト信号ＳＥＬ１〜ＳＥＬ１８に基づいてラインＬ１〜Ｌ１８を順次選択し、電圧Ｑ１〜Ｑ１７１をデマルチプレクスする。
【００４４】
３．階調電圧生成回路、Ｄ／Ａ変換回路
図７に、第１〜第３の階調電圧生成回路１１〜１３とＤ／Ａ変換回路２０の詳細な構成例を示す。
【００４５】
第１の階調電圧生成回路１１は、図２の階調電圧生成回路４０と同様の構成である。即ち、ラダー抵抗として抵抗素子ＲＡ１〜ＲＡ２５７及び抵抗素子ＲＢ１〜ＲＢ２５７を含み、そのラダー抵抗によって電圧ＶＨと電圧ＶＬとの間を２５６階調に分割し、その階調電圧ＴＡ１〜ＴＡ２５６を階調線ＮＡ１〜ＮＡ２５６に出力する。
【００４６】
第２の階調電圧生成回路１２、第３の階調電圧生成回路１３についても同様に構成される。即ち、第２の階調電圧生成回路１２は、ラダー抵抗として抵抗素子ＲＣ１〜ＲＣ２５７及び抵抗素子ＲＤ１〜ＲＤ２５７を含み、そのラダー抵抗によって分割した階調電圧ＴＢ１〜ＴＢ２５６を階調線ＮＢ１〜ＮＢ２５６に出力する。第３の階調電圧生成回路１３は、ラダー抵抗として抵抗素子ＲＥ１〜ＲＥ２５７及び抵抗素子ＲＦ１〜ＲＦ２５７を含み、そのラダー抵抗によって分割した階調電圧ＴＣ１〜ＴＣ２５６を階調線ＮＣ１〜ＮＣ２５６に出力する。
【００４７】
Ｄ／Ａ変換回路２０は、各ソースアンプ部について２５６個（即ち１７１×２５６個）のスイッチ素子Ｓ１−２５６〜Ｓ１７１−２５６を有する。
【００４８】
ここで、ソースアンプ部ＡＭ１〜ＡＭ１７１を、階調電圧生成回路と同数の第１〜第３のグループＧ１〜Ｇ３（第１〜第Ｋのグループ）にグループ分けする。例えば、図７に示すようにソースアンプ部ＡＭ１、ＡＭ４、・・・、ＡＭ１６９（ＡＭ３ｐ−２、ｐはＮ／Ｋ＝５７以下の自然数）をグループＧ１とし、ソースアンプ部ＡＭ２、ＡＭ５、・・・、ＡＭ１７０（ＡＭ３ｐ−１）をグループＧ２とし、ソースアンプ部ＡＭ３、ＡＭ６、・・・、ＡＭ１７１（ＡＭ３ｐ）はグループＧ３とする。
【００４９】
この場合に、グループＧ１〜Ｇ３に対応するスイッチ素子は、それぞれ第１〜第３の階調電圧群に接続される。例えば、グループＧ１のソースアンプ部ＡＭ１の入力ノードにはスイッチ素子Ｓ１−１〜Ｓ１−２５６の一端が接続されており、そのスイッチ素子Ｓ１−１〜Ｓ１−２５６の他端は第１の階調線群ＮＡ１〜ＮＡ２５６に接続される。グループＧ２のソースアンプ部ＡＭ２の入力ノードにはスイッチ素子Ｓ２−１〜Ｓ２−２５６の一端が接続されており、そのスイッチ素子Ｓ２−１〜Ｓ２−２５６の他端は第２の階調線群ＮＢ１〜ＮＢ２５６に接続される。グループＧ３のソースアンプ部ＡＭ３の入力ノードにはスイッチ素子Ｓ３−１〜Ｓ３−２５６の一端が接続されており、そのスイッチ素子Ｓ３−１〜Ｓ３−２５６の他端は第３の階調線群ＮＣ１〜ＮＣ２５６に接続される。
【００５０】
以上のような構成により、Ｄ／Ａ変換回路２０は、グループＧ１〜Ｇ３のうちの第ｉのグループ（ｉはＫ＝３以下の自然数）に属するソースアンプ部に対して、第１〜第３の階調電圧群のうちの第ｉの階調電圧群から選択された階調電圧を出力する。
【００５１】
さて、比較例で説明したように、多数のソースアンプ部について同時に階調線が切り替わることで階調電圧に揺れ（ノイズ）が生じ、特殊クロストークを発生させる。この点、本実施形態によれば、１本の階調線に接続されるソースアンプ部の数を、図２の比較例に比べて１／Ｋ＝１／３に減らすことができる。これにより、階調電圧が切り替わったときの階調線１本あたりの電荷の移動量を１／Ｋ＝１／３に分散することができるので、それに応じてノイズが低減され、特殊クロストークを抑制できる。
【００５２】
なお、上記ではグループＧ１〜Ｇ３がＲＧＢに対応しているが、グループＧ１〜Ｇ３はＲＧＢとは無関係に割り当てることが可能である。具体的には、２又は４以上の第１〜第Ｋの階調電圧生成回路を設け、ソースアンプ部ＡＭ１〜ＡＭ１７１を２又は４以上のグループＧ１〜ＧＫに分けてもよい。例えばＫ＝２の場合、ＲＧＢ、ＲＧＢ、・・・と並ぶソースアンプ部は、最初のＲＧのソースアンプ部がグループＧ１となり、次のＢＲのソースアンプ部がグループＧ２となり、次のＧＢのソースアンプ部がグループＧ１となる。
【００５３】
また、上記のようにグループＧ１〜Ｇ３がＲＧＢに対応する場合には、第１〜第３の階調電圧群の階調特性を、それぞれＲＧＢの階調特性に合わせて異ならせることも可能であるが、基本的にはグループＧ１〜ＧＫはＲＧＢとは無関係であり、第１〜第Ｋの階調電圧群は同一の階調特性である。
【００５４】
４．デマルチプレクサー
次に、デマルチプレクサー３０の詳細について説明する。図８に、デマルチプレクサー３０の動作説明図を示す。図８に示すように、グループＧ１〜Ｇ３のソースアンプ部を１つずつ含む３つのソースアンプ部をユニットと呼ぶものとすると、ソースアンプ部ＡＭ１〜ＡＭ１２はユニット１〜４に分けられる。そして、このようなユニット１〜４を１つのブロックとして、複数のブロックが配置される。図６の例では、ソースアンプ部ＡＭ１〜ＡＭ１７１がブロック１〜ブロック１５に分けられることになる。
【００５５】
デマルチプレクサー３０は、ユニット１〜４のソースアンプ部の出力を、それぞれ第１〜第４の順番でラインＬ１〜Ｌ１８にデマルチプレクスする。具体的には、図９に示すように、ユニット１ではラインＬ１→Ｌ１８の順番で時分割駆動を行い、ユニット２ではラインＬ１０→Ｌ１８、Ｌ１→Ｌ９の順番で時分割駆動を行い、ユニット３ではラインＬ１８→Ｌ１の順番で時分割駆動を行い、ユニット４ではラインＬ９→Ｌ１、Ｌ１８→Ｌ１０の順番で時分割駆動を行う。
【００５６】
図１０に、このような動作を行うデマルチプレクサー３０の詳細な構成例を示す。デマルチプレクサー３０は、その一端がソース線Ｓ１〜Ｓ３０７８に接続されるスイッチ素子ＳＷ１〜ＳＷ３０７８を含む。なお、図１０には、ユニット３の部分を例として図示している。
【００５７】
スイッチ素子Ｓ１０９〜Ｓ１６２の他端は、順にグループＧ１〜Ｇ３のソースアンプ部ＡＭ７〜ＡＭ９に接続される。この接続は図３と同様である。一方、セレクト信号ＳＥＬ１〜ＳＥＬ１８の接続は図３と異なっており、それぞれラインＬ１８〜Ｌ１に対応するスイッチ素子をオン・オフ制御する。例えば、セレクト信号ＳＥＬ１がアクティブになったとき、スイッチ素子ＳＷ１６０〜ＳＷ１６２がオンになり、ラインＬ１８がソースアンプ部ＡＭ７〜ＡＭ９により駆動される。
【００５８】
なお、ユニット１の部分については図３と同様に構成できる。ユニット２、４についても、図９に示す第２の順番及び第４の順番を実現するように、セレクト信号ＳＥＬ１〜ＳＥＬ１８とスイッチ素子との接続関係を変えて構成すればよい。
【００５９】
以上のような構成により、第ｉのグループＧｉに属するソースアンプ部のうち第１〜第４のソースアンプ部は、それぞれ第１〜第４の順番でＭ＝１８本のソース線を時分割に駆動することになる。例えば第１のグループＧ１では、第１のソースアンプ部はＡＭ１であり、第１の順番でソース線Ｓ１、Ｓ４、・・・、Ｓ５２を駆動する。同様に第２〜第４のソースアンプ部はＡＭ４、ＡＭ７、ＡＭ１０に対応し、第２〜第４の順番で１８本のソース線を駆動する。
【００６０】
図７で説明したように、同一グループのソースアンプ部は同一の階調線群に接続されるが、上記のように同一グループのソースアンプ部で駆動順番を異ならせることで、同一タイミングで階調線が切り替わるソースアンプ部の数を更に減らすことができる。例えば図４のように１８ライン毎に階調線が切り替わる場合を考える。グループＧ１のソースアンプ部ＡＭ１、ＡＭ４、ＡＭ７、ＡＭ１０は、時分割駆動においてラインＬ１８を選択するタイミングが１８番、９番、１番、１０番（図９参照）である。この場合、同一タイミングで階調線が切り替わるソースアンプ部の数は１／４となり、階調電圧ＴＡ１２８のノイズが低減される。
【００６１】
図１１に、２〜１８ライン毎に階調線を切り替える場合に、同時に階調線が切り替わるソースアンプ部の数を検証した結果を示す。４行１８列のマスは、図９に示すユニット１〜ユニット４のラインＬ１〜Ｌ１８の駆動順に対応している。左側の第１列から順に駆動するので、縦の４マスが同時に駆動されるラインとなる。各マスの“○”は黒を書き込むラインを示し、“×”は中間階調を書き込むラインを示す。
【００６２】
例えば２ライン毎に黒を表示する場合、偶数のラインＬ２、Ｌ４、・・・、Ｌ１８が黒のラインである。図９の順番で並べると、縦の４ユニットのうち同時に階調線が切り替わるのは２ユニット以下である。３〜１８ライン毎の場合にも、同時に階調線が切り替わるのは最大で２ユニットである。このように、黒を書き込むラインの間隔に関わりなく、同時に階調線が切り替わるソースアンプ部の数を削減できるので、特殊クロストークを抑制できる。
【００６３】
一般的には、図４のような規則正しいパターンばかりではなく、パターンに不規則性があると考えられる。例えば、ユニット１〜４で黒を表示するラインの位置が多少前後することが考えられる。このような場合、図１１の通りになるとは限らないため、駆動順番を変えても階調線のノイズを十分に分散できない可能性があるが、第１〜第３の階調電圧群に分ける手法と組み合わせることで、特殊クロストークを十分に抑制できる。
【００６４】
以下、上記のように４つの駆動順番を設けた場合に、階調電圧生成回路を何個設ければよいかの見積もり手法を示す。例えば、同一タイミングで階調線が切り替わるソースアンプ部が６８個以下の場合に、特殊クロストークが見えないという測定結果が得られたとする。ＲＧＢのユニットで考えれば２２ユニット以下である。
【００６５】
水平走査方向の解像度が１２８０ラインである場合、１２８０ライン／（１８ライン×４ユニット）＝１７．８ブロックのソースアンプ部が配置される。仮に２個の階調電圧生成回路を設けたとする。４ユニットのうち２ユニットで階調線が同時に切り替わる場合、総数では１７．８ブロック×２ユニット／２個＝１７．８ユニットで階調線が同時に切り替わることになる。この場合、２２ユニット以下なので特殊クロストークは見えない。即ち、図１１の想定では２個の階調電圧生成回路を設ければよい。
【００６６】
一方、４ユニットのうち３ユニットで階調線が同時に切り替わる場合、総数では１７．８ブロック×３ユニット／２個＝２６．７ユニットで階調線が同時に切り替わることになる。この場合、２２ユニット以上なので特殊クロストークは見える可能性がある。即ち、この想定では３個以上の階調電圧生成回路を設けることが望ましい。
【００６７】
５．ソースアンプ部
図１２に、ソースアンプ部ＡＭｊの詳細な構成例を示す。ソースアンプ部ＡＭｊは、Ｄ／Ａ変換回路２０からの電圧Ｖｊを増幅して電圧ＶＱを出力するバッファーアンプＡＡｊ（第１の増幅回路）及び高精度アンプＡＢｊ（第２の増幅回路）を含む。
【００６８】
バッファーアンプＡＡｊは高精度アンプＡＢｊよりも駆動力が高く、ソース線を急速に充電することが可能である。一方、高精度アンプＡＢｊはバッファーアンプＡＡｊよりも出力電圧の精度が高く、入力電圧Ｖｊと出力電圧Ｑｊとの差を小さくできる。１本のソース線を駆動する期間において、まずバッファーアンプＡＡｊと高精度アンプＡＢｊがともにソース線を駆動する。このとき、主にバッファーアンプＡＡｊがソース線の電圧Ｑｊを変化させる。ソース線の電圧Ｑｊが入力電圧Ｖｊに近づいたら、バッファーアンプＡＡｊの出力をハイインピーダンス状態に設定し、高精度アンプＡＢｊがソース線を駆動する。
【００６９】
さて、上述したように、階調電圧に生じたノイズがソースアンプ部ＡＭｊを介してソース線に伝搬し、特殊クロストークを発生させる。ソース線を駆動する期間が終了するまで（デマルチプレクサー３０のスイッチがオフするまで）に、そのノイズによる揺れが収束していれば、ソース線に書き込まれる階調電圧は正しいものとなるので、特殊クロストークは発生しないように思われる。しかしながら、揺れが収束している場合であっても特殊クロストークが発生する場合がある。
【００７０】
その原因としては、ソースアンプ部ＡＭｊの特性が考えられる。即ち、出力電圧を一方向に（低い電圧から高い電圧へ、及びその逆に）高速に変化させることができるように設計されており、一旦一方向へ変化させた後に逆方向へ変化させる場合には時間がかかってしまう。階調電圧のノイズは、まさにそのような電圧変化を生じるので、たとえ階調電圧の揺れが収束していても、ソースアンプ部ＡＭｊの出力電圧が収束していない場合があり得るということである。
【００７１】
そこで本実施形態では、時分割の切り替えタイミングを含む切り替え期間においてバッファーアンプＡＡｊを非動作状態に設定する。非動作状態とは、例えば出力をハイインピーダンス状態に設定し、リファレンス電流をオフにした（又は低下させた）状態である。
【００７２】
図１３に、ソースアンプ部ＡＭｊの動作のタイミングチャートを示す。タイミングｔ２においてセレクト信号ＳＥＬ（ＳＥＬ１〜ＳＥＬ１８のいずれか）がアクティブになり、ソースアンプ部ＡＭｊの入力電圧Ｖｊにノイズｎｓが発生する。このタイミングｔ２が時分割の切り替えタイミングに相当する。
【００７３】
このタイミングｔ２より前のタイミングｔ１において制御信号ＲＣａ、ＱＣａがアクティブになる。バッファーアンプＡＡｊは、アクティブの制御信号ＲＣａを受けてリファレンス電流をオフ（ゼロ）に設定し、アクティブの制御信号ＱＣａを受けて出力をハイインピーダンス状態に設定する。そして、タイミングｔ２よりも後のタイミングｔ４において制御信号ＲＣａ、ＱＣａが非アクティブになり、バッファーアンプＡＡｊはリファレンス電流をオンにし、出力のハイインピーダンス状態を解除する。このタイミングｔ１〜ｔ４の期間が切り替え期間ＳＴに相当し、例えばノイズｎｓの時間幅を測定し、その結果に応じて期間ＳＴの長さを設定すればよい。
【００７４】
以上のように、駆動力が高いバッファーアンプＡＡｊを非動作状態に設定することで、バッファーアンプＡＡｊが階調電圧のノイズｎｓに追従しなくなる。これにより、上述したような２方向の電圧変化が起きなくなり、ソース線の駆動期間が終了するまでにソースアンプ部ＡＭｊの出力電圧Ｑｊを収束させることができる。
【００７５】
また、更に高精度アンプＡＢｊを非動作状態に設定することで、出力電圧Ｑｊの精度を更に向上できる。具体的には、タイミングｔ１において制御信号ＲＣｂ、ＱＣｂがアクティブになる。高精度アンプＡＢｊは、アクティブの制御信号ＲＣｂ、ＱＣｂを受けてリファレンス電流をオフ（ゼロ）に設定し、アクティブの制御信号ＱＣｂを受けて出力をハイインピーダンス状態に設定する。そして、タイミングｔ２よりも後のタイミングｔ３において制御信号ＱＣａが非アクティブになり、高精度アンプＡＢｊは出力のハイインピーダンス状態を解除し、リファレンス電流を１／１０だけオンにする。タイミングｔ３よりも後のタイミングｔ５において制御信号ＲＣｂが非アクティブになり、高精度アンプＡＢｊは残りのリファレンス電流９／１０をオンにする。
【００７６】
タイミングｔ５において高精度アンプＡＢｊの非動作状態を解除する前に、タイミングｔ３でリファレンス電流を一部オンにしておくことで、非動作状態を解除したときに素早く動作を安定化（セットアップタイムを短縮）できる。なお、タイミングｔ３、ｔ５とタイミングｔ４の前後関係は図１３に限定されない。
【００７７】
図１４に、上記動作のシミュレーション結果を示す。このシミュレーションでは、幅２００ｎｓの三角波をノイズとして入力電圧Ｖｊに印加している。
【００７８】
図１３のタイミングｔ２〜ｔ４をオフ期間とすると、電圧波形Ｑｊ１はオフ期間が無い（リファレンス電流オフ及び出力ハイインピーダンス状態を行わない）場合の出力電圧Ｑｊの波形である。電圧波形Ｑｊ２〜Ｑｊ５は、それぞれオフ期間が５０ｎｓ、１００ｎｓ、１５０ｎｓ、２００ｎｓの場合の出力電圧Ｑｊの波形である。制御信号ＲＣａ、ＱＣａ、ＲＣｂ、ＱＣｂの波形は、オフ期間を２００ｎｓとした場合の波形を示している。
【００７９】
電圧波形Ｑｊ１〜Ｑｊ５から分かるように、ノイズと同じ２００ｎｓのオフ期間を設定した場合には、出力電圧Ｑｊにほぼノイズが伝搬しない。即ち、階調電圧に生じるノイズの幅と同程度のオフ期間を設定しておくことで、特殊クロストークを防ぐことが可能となる。
【００８０】
また、リファレンス電流をオフする構成を設けたことで、ソース線を駆動していない期間においてソースアンプ部ＡＭｊのリファレンス電流をオフにし、消費電流を削減することが可能である。例えば、１本の水平走査線の時分割駆動が終わった後、次の水平走査線の時分割駆動を開始するまでの間、リファレンス電流をオフできる。
【００８１】
６．バッファーアンプ
図１５に、上記バッファーアンプＡＡｊの詳細な構成例を示す。バッファーアンプＡＡｊは第１の差動部と第２の差動部で構成される差動部と、出力部と、を含む。
【００８２】
第１の差動部は、Ｎ型のＣＭＯＳトランジスターＴＮ１〜ＴＮ４と、Ｐ型のＣＭＯＳトランジスターＴＰ１、ＴＰ２を有する。トランジスターＴＮ１、ＴＮ２、ＴＰ１、ＴＰ２は差動対を構成しており、トランジスターＴＮ４はリファレンス電圧ＶＡＮを受けてリファレンス電流を差動対に供給する。制御信号ＲＣａがアクティブになるとトランジスターＴＮ３がオフになり、リファレンス電流がオフされる。
【００８３】
第２の差動部は、Ｎ型のＣＭＯＳトランジスターＴＮ５、ＴＮ６と、Ｐ型のＣＭＯＳトランジスターＴＰ３〜ＴＰ６を有する。トランジスターＴＮ５、ＴＮ６、ＴＰ３、ＴＰ４は差動対を構成しており、トランジスターＴＰ６はリファレンス電圧ＶＡＰを受けてリファレンス電流を差動対に供給する。制御信号ＸＲＣａは制御信号ＲＣａの論理レベルを反転した信号である。制御信号ＲＣａがアクティブ（Ｌレベル）になるとトランジスターＴＰ５がオフになり、リファレンス電流がオフされる。
【００８４】
例えば正転アンプとして構成する場合、差動部の非反転入力ノードＰＩＡにソースアンプ部ＡＭｊの入力電圧Ｖｊを供給する。また、抵抗回路等により出力ノードＱＡの電圧を反転入力ノードＮＩＡにフィードバックする。
【００８５】
出力部は、Ｎ型のＣＭＯＳトランジスターＴＮ７、ＴＮ８と、Ｐ型のＣＭＯＳトランジスターＴＰ７、ＴＰ８を有する。トランジスターＴＰ８、ＴＮ７は、それぞれ第１の差動部、第２の差動部の出力を受けて、出力ノードＱＡに出力電圧を出力する。制御信号ＸＱＣａは制御信号ＱＣａの論理レベルを反転した信号であり、制御信号ＱＣａがアクティブ（Ｈレベル）になるとトランジスターＴＰ７、ＴＮ８がオフになり、出力ノードＱＡがハイインピーダンス状態に設定される。
【００８６】
７．高精度アンプ
図１６に、上記高精度アンプＡＢｊの詳細な構成例を示す。高精度アンプＡＢｊは第１の差動部と第２の差動部で構成される差動部と、出力部と、を含む。
【００８７】
第１の差動部は、Ｎ型のＣＭＯＳトランジスターＴＮ２１〜ＴＮ２６と、Ｐ型のＣＭＯＳトランジスターＴＰ２１、ＴＰ２２を有する。トランジスターＴＮ２１、ＴＮ２２、ＴＰ２１、ＴＰ２２は差動対を構成しており、トランジスターＴＮ２４、ＴＮ２６はリファレンス電圧ＶＢＮを受けてリファレンス電流を差動対に供給する。トランジスターＴＮ２４、ＴＮ２６のゲートサイズ（Ｗ／ＬのＷ）は１：９に設定されている。即ち、制御信号ＲＣｂ、ＱＣｂがアクティブ（Ｌレベル）になるとトランジスターＴＮ２３、ＴＮ２５がオフになり、リファレンス電流が全てオフされる。その後、制御信号ＱＣｂが非アクティブ（Ｈレベル）になるとトランジスターＴＮ２３がオンになり、リファレンス電流の１／１０がオンされる。
【００８８】
第２の差動部は、Ｎ型のＣＭＯＳトランジスターＴＮ２７、ＴＮ２８と、Ｐ型のＣＭＯＳトランジスターＴＰ２３〜ＴＰ２８を有する。トランジスターＴＮ２７、ＴＮ２８、ＴＰ２７、ＴＰ２８は差動対を構成しており、トランジスターＴＰ２３、ＴＰ２５はリファレンス電圧ＶＢＰを受けてリファレンス電流を差動対に供給する。トランジスターＴＰ２３、ＴＰ２５のゲートサイズ（Ｗ／ＬのＷ）は１：９に設定されている。また、制御信号ＸＱＣｂ、ＸＲＣｂは制御信号ＱＣｂ、ＲＣｂの論理レベルを反転した信号である。即ち、制御信号ＲＣｂ、ＱＣｂがアクティブ（Ｌレベル）になるとトランジスターＴＰ２４、ＴＰ２６がオフになり、リファレンス電流が全てオフされる。その後、制御信号ＱＣｂが非アクティブ（Ｈレベル）になるとトランジスターＴＰ２４がオンになり、リファレンス電流の１／１０がオンされる。
【００８９】
例えば正転アンプとして構成する場合、差動部の非反転入力ノードＰＩＢにソースアンプ部ＡＭｊの入力電圧Ｖｊを供給する。また、抵抗回路等により出力ノードＱＢの電圧を反転入力ノードＮＩＢにフィードバックする。
【００９０】
出力部は、Ｎ型のＣＭＯＳトランジスターＴＮ２９、ＴＮ３０と、Ｐ型のＣＭＯＳトランジスターＴＰ２９、ＴＰ３０を有する。トランジスターＴＰ３０、ＴＮ３０は、それぞれ第１の差動部、第２の差動部の出力を受けて、出力ノードＱＢに出力電圧を出力する。制御信号ＱＣｂがアクティブ（Ｈレベル）になるとトランジスターＴＰ２９、ＴＮ２９がオンになり、トランジスターＴＰ３０、ＴＮ３０オフになり、出力ノードＱＢがハイインピーダンス状態に設定される。
【００９１】
なお、バッファーアンプＡＡｊと高精度アンプＡＢｊは、差動対や出力のトランジスターのサイズ（Ｗ／Ｌ）が異なっている。即ち、それぞれ必要な駆動力や電圧精度が得られるようにトランジスターのサイズが設計されている。
【００９２】
８．電気光学装置
図１７に、本実施形態のソースドライバー（駆動装置）を適用できる電気光学装置の構成例を示す。電気光学装置１００は、画素アレイ１１０、ゲートドライバー１２０、ソースドライバー１３０を含む。
【００９３】
電気光学装置１００は、Ｓｉ−ＯＬＥＤ（Silicon-Organic Light Emitting Diode）と呼ばれ、シリコン基板上に有機ＥＬ（Electro-Luminescence）素子を形成した表示装置である。
【００９４】
即ち、画素アレイ１１０には、有機ＥＬ素子とその有機ＥＬ素子を駆動する画素回路とで構成される画素が、ｍ×ｎのマトリックス状に配置される（ｎ、ｍは２以上の自然数）。ｍは垂直走査方向の画素数であり、ｎは水平走査方向の画素数である。画素アレイ１１０にはゲート線Ｇ１〜Ｇｍ及びソース線Ｓ１〜Ｓｎが配線されている。例えばｍ行ｎ列の画素にはゲート線Ｇｍ及びソース線Ｓｎが接続される。
【００９５】
ゲートドライバー１２０は、ゲート線Ｇ１〜Ｇｍにゲート選択信号を出力する。即ち、垂直走査期間において、ゲート線Ｇ１〜Ｇｍのゲート選択信号を１本ずつ順にアクティブにし、画素アレイ１１０のｍ本の水平走査線を１本ずつ順に選択する。例えば、ゲートドライバー１２０はロジック回路で構成され、垂直同期信号と水平同期信号を受けて、それらの信号に基づいてゲート選択信号を生成する。
【００９６】
ソースドライバー１３０は、上述した第１〜第３の階調電圧生成回路１１〜１３、Ｄ／Ａ変換回路２０、ソースアンプ部ＡＭ１〜ＡＭ１７１、デマルチプレクサー３０を含む。また、ソースドライバー１３０は更にラインラッチや制御回路等を含んでもよい。ラインラッチは、ストリーム画像データと水平同期信号とドットクロック信号を受けて、それらの信号に基づいて各水平走査線の画像データをラッチする。そして、制御回路は、その画像データをマルチプレクスして画像データＤ１〜Ｄ１７１としてＤ／Ａ変換回路２０へ出力し、セレクト信号ＳＥＬ１〜ＳＥＬ１８を生成してデマルチプレクサー３０へ出力する。また、制御回路は、制御信号ＱＣａ、ＲＣａ、ＱＣｂ、ＲＣｂを生成してソースアンプ部ＡＭ１〜ＡＭ１７１へ出力する。また、ソースドライバー１３０は、電圧ＶＨ、ＶＬを生成して第１〜第３の階調電圧生成回路１１〜１３へ出力する電圧生成回路を更に含んでもよい。
【００９７】
なお、本実施形態はこれに限定されず、有機ＥＬ素子以外の自発光素子を用いて画素アレイ１１０を構成してもよい。また、電気光学装置１００は１つのＩＣチップとして構成される場合に限定されず、画素アレイ１１０とゲートドライバー１２０、ソースドライバー１３０が別体に構成されてもよい。
【００９８】
９．電子機器
図１８に、本実施形態のソースドライバー（駆動装置）を適用できる電子機器の構成例を示す。電子機器は、電気光学装置１００、処理部２００、メモリー２１０、操作部２２０、通信部２３０を含む。
【００９９】
電子機器としては、例えばヘッドマウントディスプレイや、電子ビューファインダーを備えたデジタルカメラや、スマートフォン等のモバイル機器や、テレビ等の表示機器や、カーナビゲーションシステム等が想定される。
【０１００】
処理部２００は、ＣＰＵや画像処理用のＡＳＩＣ、ＤＳＰ等のプロセッサーで構成され、種々の処理や各部の制御を行う。例えば、メモリー２１０から画像データを読み出し、或は通信部２３０を介して画像データを受信し、その画像データを電気光学装置１００に表示させる処理を行う。メモリー２１０は、ＲＡＭやＲＯＭ等で構成され、処理部２００のワーキングメモリーとして機能したり、或は種々のデータを記憶したりする。操作部２２０は、例えばタッチパネルやボタン、キーボード等で構成され、ユーザーからの操作情報を受付ける。通信部２３０は、例えばＵＳＢや有線ＬＡＮ、光通信、無線ＬＡＮ、移動通信（例えば３Ｇ、４Ｇ）等のインターフェースであり、種々のデータや制御情報を外部装置との間で送受信する。
【０１０１】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また、階調電圧生成回路、Ｄ／Ａ変換回路、ソースアンプ部、デマルチプレクサー、ソースドライバー、電気光学装置、電子機器の構成・動作等も、本実施形態で説明したものに限定されず、種々の変形実施が可能である。
【符号の説明】
【０１０２】
１１〜１３  第１〜第３の階調電圧生成回路、２０  Ｄ／Ａ変換回路、
３０  デマルチプレクサー、４０  階調電圧生成回路、５０  Ｄ／Ａ変換回路、
６０  デマルチプレクサー、１００  電気光学装置、１１０  画素アレイ、
１２０  ゲートドライバー、１３０  ソースドライバー（駆動装置）、
２００  処理部、２１０  メモリー、２２０  操作部、２３０  通信部、
ＡＡｊ  バッファーアンプ、ＡＢｊ  高精度アンプ、
ＡＭ１〜ＡＭ１７１  ソースアンプ部、Ｄ１〜Ｄ１７１  画像データ、
Ｇ１〜Ｇ３  第１〜第３のグループ、Ｌ１〜Ｌ１８  ライン、
ＮＡ１〜ＮＡ２５６，ＮＢ１〜ＮＢ２５６，ＮＣ１〜ＮＣ２５６  階調線、
ＱＣａ，ＱＣｂ，ＲＣａ，ＲＣｂ  制御信号、
Ｓ１〜Ｓ３０７８  ソース線、ＳＥＬ１〜ＳＥＬ１８  セレクト信号、
ＳＴ  切り替え期間、
ＴＡ１〜ＴＡ２５６，ＴＢ１〜ＴＢ２５６，ＴＣ１〜ＴＣ２５６  階調電圧、
ｔ２  切り替えタイミング
【図１】
2015114399.tif 000003
【図２】
2015114399.tif 000004
【図３】
2015114399.tif 000005
【図４】
2015114399.tif 000006
【図５】
2015114399.tif 000007
【図６】
2015114399.tif 000008
【図７】
2015114399.tif 000009
【図８】
2015114399.tif 000010
【図９】
2015114399.tif 000011
【図１０】
2015114399.tif 000012
【図１１】
2015114399.tif 000013
【図１２】
2015114399.tif 000014
【図１３】
2015114399.tif 000015
【図１４】
2015114399.tif 000016
【図１５】
2015114399.tif 000017
【図１６】
2015114399.tif 000018
【図１７】
2015114399.tif 000019
【図１８】
2015114399.tif 000020